(57)【要約】  本発明は、調理容器（２）に直接的に取付けるために適合された、加圧調理器（１）のための蓋（４）に関する。蓋（４）は、ロック位置とアンロック位置との間で半径方向に移動自在に取付けられる、少なくとも一つのかみ合い部（５）を有する。前記少なくとも一つのかみ合い部（５）は、略Ｕ字状の断面形状を有し、蓋（４）に支持される支持頂面（１０）と、フロント面（１１）と、屈曲底面とを備えており、ロック位置において、調理容器（２）の縁部（３）の下側に対して、接触するように適合されている。本発明を特徴付けるのは、前記少なくとも一つのかみ合い部（５）が、フロント面（１１）および屈曲底面の略中央を延長するアンダーカット部（１５）を有し、２つのロック袖部（１６，１７）を定義することである。本発明は、加圧調理器に適用可能である。
2005511228.tif 000002
【特許請求の範囲】
【請求項１】
加圧調理器（１）のための蓋（４）であって、
前記蓋（４）は、調理容器（２）に配置されてロックするために使用され、
ロック位置とアンロック位置との間で半径方向に移動自在に取付けられる、少なくとも一つのかみ合い部（５）を有し、
前記少なくとも一つのかみ合い部（５）は、略Ｕ字状の断面形状を有し、前記蓋（４）に支持される支持頂面（１０）と、フロント面（１１）と、屈曲底面（１２）とを備えており、ロック位置において、調理容器（２）の縁部（３）の下側に対して、接触するように適合されており、
前記少なくとも一つのかみ合い部（５）は、フロント面（１１）および屈曲底面（１２）の略中央を延長するアンダーカット部（１５）を有し、２つのロック袖部（１６，１７）を定義することを特徴とする蓋。
【請求項２】
前記支持頂面（１０）は、ロック袖部（１６，１７）に位置している２つの側方頂面（１０Ａ，１０Ｂ）を有し、前記側方頂面（１０Ａ，１０Ｂ）の各々は、関連する連結面（１０Ｃ）を経由して、アンダーカット部（１５）に位置合わせされる中央頂面（１０Ｄ）に連結しており、前記中央頂面（１０Ｄ）は、前記側方頂面（１０Ａ，１０Ｂ）に対して隆起していることを特徴とする請求項１に記載の蓋。
【請求項３】
前記連結面（１０Ｃ）は、側方頂面（１０Ａ，１０Ｂ）の一端と、中央頂面（１０Ｄ）の一端とを、漸進的に連結することを特徴とする請求項２に記載の蓋。
【請求項４】
前記連結面（１０Ｃ）の漸進的な連結は、対向する２つの接続半径の値Ｒ１およびＲ２が、１０〜４０ｍｍの範囲にあり、側方頂面（１０Ａ，１０Ｂ）および中央頂面（１０Ｄ）に、それぞれ導くことによって実行されることを特徴とする請求項３に記載の蓋。
【請求項５】
前記側方頂面（１０Ａ，１０Ｂ）は、水平方向に関して、角度αで傾斜しており、前記傾斜は、かみ合い部（５）の対称軸ＹＹ’から最遠位にある前記側方頂面（１０Ａ，１０Ｂ）の最外部位（２０）が、蓋（４）によって支持されるように配向していることを特徴とする請求項２〜４のいずれか１項に記載の蓋。
【請求項６】
前記側方頂面（１０Ａ，１０Ｂ）の傾斜角度αは、０．５〜１．５度の範囲にあることを特徴とする請求項５に記載の蓋。
【請求項７】
前記２つロック袖部（１６，１７）の各々は、屈曲された略平面である底面（１２）を有することを特徴とする請求項１〜６のいずれか１項に記載の蓋。
【請求項８】
前記フロント面（１１）は、各ロック袖部（１６，１７）の底面（１２）を中央頂面（１０Ｄ）に連結しており、アンダーカット部（１５）に向かい、傾斜エッジ部（２１）で終端しており、前記エッジ部の上端（２２）は、前記エッジ部の下端（２３）に比べて、かみ合い部（５）の対称軸ＹＹ’に近接していることを特徴とする請求項１〜７のいずれか１項に記載の蓋。
【請求項９】
前記２つのロック袖部（１６，１７）の各々は、フロント面（１１）を有し、前記フロント面は、Ｒ１とＲ２との間を連結し、あるいは、連結半径Ｒ２の後において中央頂面（１０Ｄ）と、すなわち中央頂面の水準において連結することを特徴とする請求項４〜８に記載の蓋。
【請求項１０】
２つのかみ合い部（５）を有し、前記かみ合い部（５）は、半径方向に関して反対に位置することを特徴とする請求項１〜９のいずれか１項に記載の蓋。
【請求項１１】
前記蓋（４）は、円形状であり、各かみ合い部（５）は、中心角が９０度に等しいあるいは以上である円弧を定義することを特徴とする請求項１〜１０のいずれか１項に記載の蓋。
【請求項１２】
請求項１〜１１のいずれか１項に記載の蓋を有する圧力釜タイプの加圧調理器。
【発明の詳細な説明】
【技術分野】
【０００１】
本発明は、調理容器に配置されてロックするための蓋を有する圧力釜などの加圧調理器の技術分野に関しており、前記蓋は、前記蓋におけるロック位置とアンロック位置との間で半径方向に移動自在に取付けられる少なくとも一つのかみ合い部を有する。
【０００２】
本発明は、加圧調理器のための蓋に関しており、前記蓋は、調理容器に配置されてロックするためである。また、前記蓋は、ロック位置とアンロック位置との間で半径方向に移動自在に取付けられる少なくとも一つのかみ合い部を有する。前記少なくとも一つのかみ合い部は、略Ｕ字状の断面形状を有し、前記蓋に支持される頂面と、フロント面と、屈曲底面とを備えており、ロック位置において、調理容器の縁部の下側に対して、接触するように適合されている。
【０００３】
また、本発明は、少なくとも一つのロック用かみ合い部を有する蓋が取付けられた圧力釜タイプの加圧調理器を提供し、前記ロック用かみ合い部は、制御部材による駆動下において、前記蓋に半径方向に移動可能に取付けられる。
【背景技術】
【０００４】
圧力釜などの加圧調理器は、圧力下で食品を料理するために知られており、２つのかみ合い部を有する蓋を含み、かみ合い部は、反対に位置し、半径方向に関して移動可能に取付けられる。蓋は、圧力釜の調理容器に配置あるいは位置決めされ、蓋の半径方向に位置決めされるかみ合い部を移動させるための制御装置によって、ロックされるように設計されている。このような装置は、例えば、ＥＰ−０  ６９１  ０９６およびＥＰ−０  ６９１  ０９７において、同一の出願人の名において、開示されている。
【０００５】
これらの既知の装置は、例えば、蓋の半径方向に配置される駆動アームに固定される少なくとも２つのロック用かみ合い部を使用し、それの変位は、蓋に配置される中央制御部材、例えば、ボタンやノブ等によって制御され、ユーザが作動させ、かみ合い部を半径方向の外側あるいは内側に向かって移動させることにより、かみ合い部をアンロック位置あるいはロック位置に、それぞれ位置決めすることが可能である。
【０００６】
このような先行技術に係る装置において、かみ合い部は、調理器の調理容器の直径に対応する曲率半径を有し、また、所定の長さ（例えば、容器の外周の４分の１）を有する部材を備えており、各部材は、略Ｕ字断面形状であり、蓋を支持する頂面と、フロント面と、屈曲するように設計された底面とを有し、ロック位置において、容器の縁部の下側と接触する。
【０００７】
これらの周知の装置は、十分な満足感を与えており、また、ユーザにとって、特に、ロック位置およびアンロック位置に到達するための操作が容易であり、一方、過大な圧力に対する安全を提供する観点から、強固であり特に信頼性が高い。
【０００８】
しかし、上記タイプのかみ合い部は、確かに強固であるが、特殊で困難な製造方法であることに関連する重大な欠点を招いている。
【０００９】
これらのかみ合い部は、金属片をプレスし、かみ合い部のＵ字状断面を構成する異なる面のための正確な寸法を得ており、また、部材の良好な外観を確実なものとすることで、形成されている。それは、これらの部材は、調理器の外側にあり、直接に見ることが可能であり、多数の工業的仕上げステップを実行することが必要であるためである。特に、プレス作業は、金属材料の厚肉のゾーンおよび外観が悪化したゾーン（擦り傷、圧痕、プレスゾーン等）を形成する。これらは、その後のマニュアル仕上げステップにおいて、例えば、ポリッシングにより、特別に矯正することが必要である。
【００１０】
このような付加的な仕上げ作業は、かみ合い部を製造するための付加的な生産コストを上昇させ、そして、これは、無視し得ない欠点を構成する。
【００１１】
さらに、これらのかみ合い部は、相当な厚みおよび寸法を使用することで、強固に製造されている。これは、また、製造するために必要とされる材料の対応量が、製造されるかみ合い部の経済コストを上昇させることに、貢献することを意味する。
【発明の開示】
【００１２】
したがって、本発明に与えられる目的は、上記の多様な欠点を除去し、蓋の半径方向に移動自在に取付けられたロック／アンロック用かみ合い部を備えている加圧調理器のための新規な蓋を提供することを対象としており、前記蓋およびかみ合い部は、特に製造が容易かつ安価であり、また、向上した機械的強度を提供する。
【００１３】
本発明の別の目的は、調理器内部において偶発的に過大な圧力が生じる場合に蓋が受ける変形を、効果的に制御および抑制するために適した、加圧調理器のための新規な蓋を提供することを対象としている。
【００１４】
本発明の別の目的は、加圧機器のための新規な蓋を提供することであり、かみ合い部は、屈曲作業によって製造するように、特に適応されており、したがって、かみ合い部の全体的な強度は、弱められない。
【００１５】
本発明の別の目的は、加圧調理器のための新規な蓋を提供することであり、かみ合い部は、偶発的に過大な圧力が生じる場合における変形に対して良好な抵抗を提供するように、成形されている。
【００１６】
本発明の別の目的は、加圧調理器のための新規な蓋を提供することであり、当該蓋は、特に軽量であり、また、強固である。
【００１７】
本発明に与えられる目的は、調理容器に配置されてロックするために使用される、加圧調理器のための蓋によって達成され、当該蓋は、ロック位置とアンロック位置との間で半径方向に移動自在に取付けられる少なくとも一つのかみ合い部を有し、前記少なくとも一つのかみ合い部は、略Ｕ字状の断面形状を有し、前記蓋に支持される支持頂面と、フロント面と、屈曲底面とを備えており、ロック位置において、調理容器の縁部の下側に対して、接触するように適合されており、また、前記少なくとも一つのかみ合い部は、フロント面および屈曲底面の略中央を延長するアンダーカット部を有し、２つのロック袖部を定義することを特徴とする蓋である。
【発明を実施するための最良の形態】
【００１８】
本発明の他の特徴および利点は、限定するためではなく、一例として単に与えられている、以下の説明および添付の図面を考慮することで、より良く理解されるだろう。
【００１９】
図１は、本発明に係るロック用かみ合い部が提供される蓋が取付けられた、本発明に係る圧力釜の側面図であり、
図２は、本発明に係るかみ合い部を、本発明に係る蓋に取付けるための方法の詳細を説明するための部分斜視図であり、
図３は、本発明に係る蓋に取付けられる、本発明に係るロック用かみ合い部の斜視図であり、
図４は、本発明に係るロック用かみ合い部の実施詳細の側面図であり、また、
図５は、ロック位置にある本発明に係る蓋が取付けられた、本発明に係る圧力釜を示している部分横断面図である。
【００２０】
図１〜５は、本発明に係る加圧調理器を示しており、例えば、かみ合い部を有するタイプの圧力釜であり、蒸気圧下で食品を料理するために使用される。従来の方法において、図１に示される圧力釜１は、例えば、上端部を屈曲させることで終端している円形状断面あるいは楕円状断面を有する金属容器２と、屈曲した楕円縁部３（図５）とを有する。また、圧力釜１は、調理容器２に配置および位置決めされる蓋４を有し、防水性を備えており、気密性密閉容器を形成するため、熱を供給することによって、大気圧より高い操作圧を得ることが可能である。
【００２１】
本発明に係る圧力釜は、圧力を上昇させることを可能にするために必要なシーリング部材、例えば、環状ガスケット（不図示）と、過大な圧力に対して必要とされる安全装置の全て（不図示）、例えば、安全弁あるいはガスケットクリープ装置を有しており、通常の作動圧を偶発的に越えないことを確実にしている。このような部材および装置は、当業者にとって周知であり、本発明の部分を形成せず、したがって、ここでは、更に詳細に説明しない。
【００２２】
図１および図２に、特に示されるように、蓋４は、少なくとも一つのかみ合い部５を有する。かみ合い部５は、図１に示される圧力釜１の主な対称軸に関し、図５に示されるロック位置と、図５において一点鎖線で示されるアンロック位置との間で、半径方向に移動可能に取り付けられる。かみ合い部５の軸方向変位は、駆動アーム６を有する制御装置５Ａによって提供される。駆動アーム６は、一端が関連するかみ合い部５に固定され、他端（不図示）が制御部材に固定されている。制御部材は、例えば、ボタン、ノブ、ハンドルなどであり、ユーザによって作業され、かみ合い部を半径方向に延長あるいは後退させ、アンロック位置あるいはロック位置にそれぞれ対応させることが可能である。このような装置はまた、当業者にとって周知であるため、ここでは、更に詳細に説明しない。
【００２３】
図１〜４から理解できるように、かみ合い部５は、屈曲しており、その曲率は、蓋４および容器２の曲率と対応し、相補的であり、容器に対する蓋の適当なロックを提供する。かみ合い部５は、所定の周囲長に渡って延長している。所定の周囲長は、各々の圧力釜のサイズの関数として、特定され、例えば、その外周の３分の１、４分の１、あるいは５分の１に対応する周囲長である。
【００２４】
かみ合い部５は、略Ｕ字状断面を有し、蓋４、特に、外側環状面４Ａに支持される支持頂面１０と、Ｕ字状断面の腹部を形成するフロント面１１と、屈曲底面１２とを定義している。屈曲底面１２は、かみ合い部５がロック位置（図５）にある場合、容器の外側に延長している縁部３の下側に対して接触し、支持する。
【００２５】
本発明の重要な特徴によれば、本発明に係るかみ合い部は、凹部つまりアンダーカット部１５を有する。アンダーカット部１５は、かみ合い部５の対称軸ＹＹ’に関し、略中央にあり、フロント面１１および屈曲底面１２を占めており、２つのロック袖部１６，１７を定義する。ロック袖部１６，１７は、アンダーカット部１５の両側に位置しており、互いに対称である。この配置によって、かみ合い部５の側面および端面ゾーンにおいて、容器の屈曲縁部３を支持する２のロック袖部１６，１７を有するかみ合い部５が得られる。この構成は、かみ合い部５の中心部位の材料を節約することを可能とする。それは、アンダーカット部１５のためであり、材料の無視し得ない節約を構成し、一方では、変形に耐えるためのかみ合い部の良好な強度および性能を保持する。さらに、この構成は、屈曲技術によって、かみ合い部を成形することを可能にし、プレス技術を使用する必要を避けることができる。屈曲の際に材料が受ける応力および機械的損傷は、非常に小さく、仕上げ作業は、非常に削減され、あるいは存在しないため、その後において、ポリッシングおよび仕上げの作業を適用する必要性を、避けることが可能である。
【００２６】
図３および図４により詳細に示されるように、支持頂面１０は、ロック袖部１６，１７のそれぞれに位置している２つの側方頂面１０Ａ，１０Ｂを有し、あるいは、２つの側方頂面１０Ａ，１０Ｂによって構成されている。側方頂面１０Ａ，１０Ｂの各々は、関連する連結面１０Ｃを経由して、中央アンダーカット部１５に位置する中央頂面１０Ｄに連結している。中央頂面１０Ｄは、２つの側方頂面１０Ａ，１０Ｂに対して隆起している。
【００２７】
側方頂面１０Ｂと、特に、中心凹部つまりアンダーカット部１５と位置合わせされている関連する連結面１０Ｃとに関して、隆起している中央ゾーンの存在により、かみ合い部自体の内部におけるの蓋の変形は、圧力の偶発的かつ制御されていない上昇によって、組立品全体が変形する場合において、バランスされる。この配置は、圧力釜の安全装置が故障した場合に、最適な方法で、圧力釜で生じる偶発的な変形をバランスさせる。
【００２８】
好ましくは、連結面１０Ｃは、図示されるように、側方頂面１０Ａ，１０Ｂから中央頂面１０Ｄまで漸進的に連結する。
【００２９】
好ましくは、例えば、図４に示されるように、連結面１０を経由した漸進的な連結は、対向する２つの接続半径の値Ｒ１およびＲ２を経由して、実行される。値Ｒ１およびＲ２は、約１０〜約４０ｍｍの範囲にあり、側方頂面１０Ａ，１０Ｂにおよび中央頂面１０Ｄにそれぞれ導いている。これは、かみ合い部５の上部ゾーンにおける連続性および強度を増加させることに貢献し、また、フロント面１１および屈曲底面１２を形成する際における屈曲作業を、非常に容易とする。好ましくは、半径Ｒ１およびＲ２は、それぞれ２７ｍｍおよび２０ｍｍに等しい。
【００３０】
図４に特に示されるように、側方頂面１０Ａ，１０Ｂは、屈曲している縁部３の水平方向の面つまり水平面に関して、角度αで傾斜している。また、角度αの値は、かみ合い部の対称軸ＹＹ’から最遠位にある側方頂面の最外部位２０が、蓋４によって支持されるように設定されている。側方頂面１０Ａ，１０Ｂの傾斜角度によって、傾斜ゾーンＰは、定義され（図４）、その停止位置において、蓋の外側環状面４Ａにより、最外部位２０のみにおいて、支持される。変形の場合における、蓋４とかみ合い部５との間の相対的な変形は、したがって、良好な制御下にある。それは、かみ合い部と蓋との間における支持点２０のゾーンが、外側の側方部位にオフセットしているためである。
【００３１】
好ましくは、側方頂面１０Ａ，１０Ｂの傾斜角度αは、０．５〜１．５度の範囲にある。特に好ましい方法においては、側方頂面１０Ａ，１０Ｂは、略平面である。
【００３２】
本発明において、２つのロック袖部１６，１７の各々は、屈曲底面１２を有する。屈曲底面１２は、円周方向の範囲において略平面であり、屈曲底面１２の略全範囲に渡って延長している延長支持ゾーンＺを定義することができる。屈曲底面１２は、容器の屈曲縁部３と好ましくは平行であり、これは、支持力の良好な分布を提供し、したがって、変形が局所化される問題を避けることができる。
【００３３】
傾斜角αに関する特徴と組み合わされ、容器２と屈曲底面１２との間の延長支持ゾーンＺは、最適な方法で、蓋４の変形に対処することを可能としており、これは、アンダーカット部１５と位置合わされて配置される前記ゾーンおよびクリアランスが存在する隣接部位において、蓋４の局所的な変形を可能とすることによる。これは、蓋４および２つの延長支持ゾーンＺに対して外側に位置決めされる２つの局所的な支持点２０を有する各々のかみ合い部５のための組合わせによって、可能とされている。また、延長支持ゾーンＺは、同様に外側に位置決めされており、容器２の縁部３に対して作用する。支持面のこの幾何学的な構成は、最適かつ信頼性が良好な方法で、蓋の変形に対処するために貢献し、そして、アンダーカット部１５において発生するような変形を抑制することに役立つ。したがって、かみ合い部５から離れて位置しているセクタにおける変形が、同様に削減される。
【００３４】
好ましくは、蓋４が円形状である場合、曲面の各かみ合い部５は、十分に長い円弧を占めており、当該円弧は、対応する中心において、９０度に等しいあるいは以上の角度を定義する。
【００３５】
図１、図３および図４に示されるように、ロック袖部１６，１７の底面１２と中央頂面１０Ｄとを連結するフロント面１１は、傾斜エッジ部２１によって、アンダーカット部１５に向かって終端している。好ましくは、傾斜エッジ部２１は、その上端２２が、その下端２３に比べて、かみ合い部５の対称軸ＹＹ’に近接するように、配向させる。
【００３６】
好ましくは、２つのロック袖部１６，１７の各々は、フロント面１１を有し、当該フロント面１１は、Ｒ１とＲ２との間の傾斜エッジ部２１を経由あるいは、好ましくは接続半径Ｒ２を越えて、中央頂面１０Ｄと連結している。すなわち、フロント面は、中央頂面１０Ｄの水準に対して隆起している。これは、接続半径Ｒ１における予想される変形を避け、また、屈曲の開始を避けることによって、かみ合い部５の変形に対処するための良好な強度および性能を提供する。
【００３７】
上述のように、本発明に係る圧力釜１は、例えば、回転によって、蓋を容器に固定するための他の装置と連携する単一のかみ合い部５を有することも可能である。
【００３８】
けれども、好ましい方法においては、本発明に係る蓋は、２つのかみ合い部が取付けられており、かみ合い部は、蓋４において互いに半径方向に関して反対に配置される。本発明の観点によれば、本発明の範囲を逸脱することなく、本発明に係る蓋が、２つの、４つの、あるいは非常に多くのかみ合い部５を有することが可能であることが理解される。
【００３９】
また、本発明は、上述のように、少なくとも一つのかみ合い部を有する蓋が取付けられる圧力釜タイプの加圧調理器の全てを保護することを目的としている。
【００４０】
かみ合い部と、かみ合い部が蓋および容器と提携する方法とに関する技術的な特徴は、かみ合い部の製造を簡略化し、また、最終製品として、取り扱いが容易かつ軽量である蓋を得ることができ、したがって、圧力の偶発的な上昇の場合における、改善された作業安全性を有する圧力釜を得ることができる。これは、不測の変形が制限され、制御されるためである。
【産業上の利用の可能性】
【００４１】
本発明の産業上の利用は、蓋および加圧調理器、特に、かみ合い部を有する圧力釜を設計し、製造することにある。
【図面の簡単な説明】
【００４２】
【図１】本発明に係るロック用かみ合い部が提供される蓋が取付けられた、本発明に係る圧力釜の側面図である。
【図２】本発明に係るかみ合い部を、本発明に係る蓋に取付けるための方法の詳細を説明するための部分斜視図である。
【図３】本発明に係る蓋に取付けられる、本発明に係るロック用かみ合い部の斜視図である。
【図４】本発明に係るロック用かみ合い部の実施詳細の側面図である。
【図５】ロック位置にある本発明に係る蓋が取付けられた、本発明に係る圧力釜を示している部分横断面図である。
【図１】
2005511228.tif 000003
【図２】
2005511228.tif 000004
【図４】
2005511228.tif 000005
【図３】
2005511228.tif 000006
【図５】
2005511228.tif 000007
【国際調査報告】
2005511228.tif 000008
2005511228.tif 000009
2005511228.tif 000010
2005511228.tif 000011
2005511228.tif 000012
2005511228.tif 000013